(57)【要約】【課題】  袋体が破損し易いという問題を軽減し、脱水処理を短時間で容易に行えるようにする。【解決手段】  固体粒子を含有する流動体１０を袋体１１内に注入する（注入工程）。袋体１１を囲むように配置されて袋体１１を拘束する拘束部材１２の内側において袋体１１と接するように配置されて気密性を有する袋１３に、ガスを注入して膨らませることにより、流動体１０中の水分を袋体１１の外へ排出する（排出工程）。【選択図】        図１
2005103474.tif 000002
【特許請求の範囲】
【請求項１】
固体粒子を含有する流動体を袋体内に注入する注入工程と、
前記袋体を囲むように配置されて当該袋体を拘束する拘束部材の内側において、前記袋体と接するように配置され又は前記袋体内に配置されて、液密性及び気密性の少なくともいずれか一方のシール性を有する袋に、流体を注入して膨らませる加圧工程と、
を備えていることを特徴とする固体粒子を含有する流動体の袋詰脱水方法。
【請求項２】
前記加圧工程では、前記袋体内に配置されている１つ以上の排水部材を通じて、注入された前記流動体中の水分を前記袋体の外へ排出することを特徴とする請求項１に記載の固体粒子を含有する流動体の袋詰脱水方法。
【請求項３】
前記加圧工程において前記排水部材を通じて前記流動体中の水分を排出する方向とは異なる方向に、前記排水部材の内部に流体を送入する流体送入工程をさらに備えていることを特徴とする請求項２に記載の固体粒子を含有する流動体の袋詰脱水方法。
【請求項４】
前記加圧工程の後、前記袋にさらに流体を注入して膨らませることで、前記袋体の外へ脱水処理後の前記流動体を排出する処理済流動体排出工程をさらに備えていることを特徴とする請求項１〜請求項３のいずれか１項に記載の固体粒子を含有する流動体の袋詰脱水方法。
【請求項５】
固体粒子を含有する流動体が注入された第１の袋体と、当該第１の袋体と接するように配置された第２の袋体とが、これら複数の袋体を囲むように配置されて当該複数の袋体を拘束する拘束部材の内側に配置されている状態において、
前記第２の袋体内に固体粒子を含有する流動体を注入して当該第２の袋体を膨らませることにより、前記第１の袋体内に注入された前記流動体中の水分を前記第１の袋体の外へ排出する注入加圧工程を備えていることを特徴とする固体粒子を含有する流動体の袋詰脱水方法。
【請求項６】
前記注入加圧工程の後、前記第２の袋体にさらに固体粒子を含有する流動体を注入して膨らませることで、前記第１の袋体内の脱水処理後の流動体を当該第１の袋体の外へ排出する流動体排出工程をさらに備えていることを特徴とする請求項５に記載の固体粒子を含有する流動体の袋詰脱水方法。
【請求項７】
前記注入加圧工程が繰り返し行われ、前記複数の袋体における異なる袋体が交互に前記第１の袋体及び前記第２の袋体となることを特徴とする請求項５又は請求項６に記載の固体粒子を含有する流動体の袋詰脱水方法。
【請求項８】
前記注入加圧工程では、前記第１の袋体内に配置されている１つ以上の排水部材を通じて、前記第１の袋体に注入された前記流動体中の水分を前記第１の袋体の外へ排出することを特徴とする請求項５〜請求項７のいずれか１項に記載の固体粒子を含有する流動体の袋詰脱水方法。
【請求項９】
前記注入加圧工程において前記排水部材を通じて前記流動体中の水分を排出する方向とは異なる方向に、前記排水部材の内部に流体を送入する流体送入工程をさらに備えていることを特徴とする請求項８に記載の固体粒子を含有する流動体の袋詰脱水方法。
【請求項１０】
固体粒子を含有する流動体の袋詰脱水方法において用いられる脱水ユニットであって、
前記流動体が注入される袋体と、
前記袋体を囲むように配置されて当該袋体を拘束する拘束部材と、
前記拘束部材の内側において、前記袋体と接するように配置され又は前記袋体内に配置され、液密性及び気密性の少なくともいずれか一方のシール性を有する袋と、
を備えていることを特徴とする脱水ユニット。
【請求項１１】
前記袋は、前記袋体と前記拘束部材との間に介装されていることを特徴とする請求項１０に記載の脱水ユニット。
【請求項１２】
前記袋体内に配置され、注入された前記流動体中の水分を前記袋体の外へ排出する１つ以上の排水部材をさらに備えていることを特徴とする請求項１０又は請求項１１に記載の脱水ユニット。
【請求項１３】
前記排水部材は、自己保形性を有する管状の部材であることを特徴とする請求項１２に記載の脱水ユニット。
【請求項１４】
前記袋体は、水密性を有することを特徴とする請求項１２又は請求項１３に記載の脱水ユニット。
【請求項１５】
固体粒子を含有する流動体の袋詰脱水方法において用いられる脱水ユニットであって、
互いに接するように配置される複数の袋体と、
前記複数の袋体を囲むように配置されて当該袋体を拘束する拘束部材と、
を備えていることを特徴とする脱水ユニット。
【請求項１６】
前記袋体内に配置され、注入された前記流動体中の水分を前記袋体の外へ排出する１つ以上の排水部材をさらに備えていることを特徴とする請求項１５に記載の脱水ユニット。
【請求項１７】
前記排水部材は、自己保形性を有する管状の部材であることを特徴とする請求項１６に記載の脱水ユニット。
【請求項１８】
前記袋体は、水密性を有することを特徴とする請求項１５又は請求項１７に記載の脱水ユニット。
【発明の詳細な説明】
【技術分野】
【０００１】
本発明は、固体粒子を含有する流動体の袋詰脱水方法、及びそれに用いられる脱水ユニットに関し、特に、海底・湖沼・河川の底に堆積した土砂・粘土・ヘドロや掘削工事のズリなど細かな固体粒子を含有する汚泥等の袋詰脱水方法、及びそれに用いられる脱水ユニットに関する。
【背景技術】
【０００２】
海底、湖沼、河川等の底に堆積した土砂・粘土・ヘドロや掘削工事で排出されるズリなどの固体粒子を含有する流動体の利用法として、透水性を有する袋体内にこの流動体を注入し、脱水することにより強度を持たせて、築堤等の形成に用いることがある。このような利用法においては、袋体を積み重ねた場合の脱水に伴う大きな沈下が生じ易いので、所定の高さの築堤を形成することが困難になり易い。そこで、所定の高さの築堤を形成するため、粘土（固体粒子を含有する流動体）が注入された袋体を複数積み重ねた状態として、自重による圧密と天日による乾燥とによって粘土中の水分を袋体から脱水し、袋体内部の粘土層の厚さが小さくなったときに脱水された水の量と略等しい量の粘土を各袋体に再度注入するという袋詰脱水方法が知られている（特許文献１参照）。
【特許文献１】特公平８−１９６４７号公報（第２頁、第３図）
【発明の開示】
【発明が解決しようとする課題】
【０００３】
しかしながら、上記特許文献１に記載の袋詰脱水方法によると、粘土などの流動体を袋体内に注入した後、放置して脱水するため、脱水処理に時間がかかるという問題がある。また、積み重ねられた袋体のそれぞれに再度流動体を注入する構成であるので、下側に配置された袋体に流動体を注入する際、上側に配置された袋体を一旦持ち上げる必要がある。このため、流動体が充填された大きな重量の袋体を持ち上げるという大掛かりな作業が必要になるとともに、その作業中に袋体が破損してしまう可能性もある。
【０００４】
本発明は、上記実情に鑑みることにより、袋体が破損し易いという問題を軽減し、脱水処理を短時間で容易に行える、固体粒子を含有する流動体の袋詰脱水方法、及びそれに用いられる脱水ユニットを提供することを目的とする。
【課題を解決するための手段及び効果】
【０００５】
本発明の袋詰脱水方法は、固体粒子を含有する流動体の袋詰脱水方法に関する。
そして、本発明の１つの観点による袋詰脱水方法は、上記目的を達成するために以下のようないくつかの特徴を有しており、以下の特徴を単独で、もしくは、適宜組み合わせて備えている。
【０００６】
上記目的を達成するための本発明の１つの観点による袋詰脱水方法における第１の特徴は、固体粒子を含有する流動体を袋体内に注入する注入工程と、前記袋体を囲むように配置されて当該袋体を拘束する拘束部材の内側において、前記袋体と接するように配置され又は前記袋体内に配置されて、液密性及び気密性の少なくともいずれか一方のシール性を有する袋に、流体を注入して膨らませる加圧工程と、を備えていることである。
【０００７】
この構成によれば、袋体が拘束部材で周りを囲まれた状態で、拘束部材の内側に配置された袋を膨らませるため、袋体に袋が接する場合は袋によって袋体が圧迫され、袋体内に袋が配置される場合は袋体内に注入された流動体が袋によって直接圧迫される。これにより、袋体に注入されている流動体中の水分を袋体の外へ排出させることができる。従って、袋体に流動体を注入した後に袋を膨らませるだけで、脱水処理を短時間で容易に行うことができる。また、袋体を積み重ねた後に再度流動体を注入する構成でないことから、流動体が充填された袋体を持ち上げる大掛かりな作業も必要なく、脱水処理が容易で、袋体が破損し易いという問題も軽減できる。
【０００８】
本発明の１つの観点による袋詰脱水方法における第２の特徴は、前記加圧工程では、前記袋体内に配置されている１つ以上の排水部材を通じて、注入された前記流動体中の水分を前記袋体の外へ排出することである。
【０００９】
この構成によれば、袋体表面を介して水分の排出が可能であるか否かに関わらず、袋体に注入された流動体中の水分を、袋体内に配置された排水部材を介して袋体の外へ排出することができる。即ち、袋体表面から水分の排出が可能である場合は、袋体表面からに加えて排水部材からも排水でき、脱水に係る面積を増大させることができる。このため、排水部材を含まない場合に比べて脱水効果が上がり、脱水処理をより短時間で行うことができる。
また、袋体表面のみから排水する場合、袋体表面にシルトなど細かい固体粒子が付着して袋体表面の織り目に入り込んでしまい水分の通過が妨げられ易く、大幅に脱水効果が低下してしまう。しかし、排水部材を設けることで、袋体表面における脱水効果の低下の問題を軽減することができる。
また、排水部材を袋体内に複数配置した場合は、配置した排水部材の数に応じて、脱水に係る面積を増大させることができ、脱水効果を大幅に向上させることができ、脱水処理をより短時間で行うことができる。
【００１０】
本発明の１つの観点による袋詰脱水方法における第３の特徴は、前記加圧工程において前記排水部材を通じて前記流動体中の水分を排出する方向とは異なる方向に、前記排水部材の内部に流体を送入する流体送入工程をさらに備えていることである。
【００１１】
この構成によれば、排水部材の表面に細かい固体粒子が付着した場合であっても、流体送入工程が行われることで、排水部材表面に付着した細かい固体粒子を剥離させることができる。従って、排水部材表面における円滑な水分の通過を確保し、脱水効果の低下を抑制することができる。
【００１２】
本発明の１つの観点による袋詰脱水方法における第４の特徴は、前記加圧工程の後、前記袋に流体を注入して膨らませることで、前記袋体に設けられた排出口を通じて脱水処理後の前記流動体を排出する処理済流動体排出工程をさらに備えていることである。
【００１３】
この構成によれば、加圧工程の後、袋体の排出口を開いて袋に流体を注入して膨らませるだけで、脱水処理後の流動体を袋体から容易に取り出すことができる。従って、脱水処理の後、処理済の流動体をすぐに袋体から排出して利用することができる。
【００１４】
また、本発明の他の観点による袋詰脱水方法は、前述の目的を達成するために以下のようないくつかの特徴を有しており、以下の特徴を単独で、もしくは、適宜組み合わせて備えている。
【００１５】
前述の目的を達成するための本発明の他の観点による袋詰脱水方法における第１の特徴は、固体粒子を含有する流動体が注入された第１の袋体と、当該第１の袋体と接するように配置された第２の袋体とが、これら複数の袋体を囲むように配置されて当該複数の袋体を拘束する拘束部材の内側に配置されている状態において、前記第２の袋体内に固体粒子を含有する流動体を注入して当該第２の袋体を膨らませることにより、前記第１の袋体内に注入された前記流動体中の水分を前記第１の袋体の外へ排出する注入加圧工程を備えていることである。
【００１６】
この構成によれば、注入加圧工程においては、第２の袋体に固体粒子を含有する流動体が注入されるとともに、拘束部材の内側で膨らまされる第２の袋体によって第１の袋体が圧迫される。これにより、第１の袋体内に注入されている流動体中の水分を第１の袋体の外へ排出させることができる。従って、固体粒子を含有する流動体を袋体内に注入すると略同時に他の袋体から脱水することができ、脱水処理を短時間で容易に行うことができる。また、袋体を積み重ねた後に再度流動体を注入する構成でないことから、流動体が充填された袋体を持ち上げる大掛かりな作業も必要なく、脱水処理が容易で、袋体が破損し易いという問題も軽減できる。
【００１７】
本発明の他の観点による袋詰脱水方法における第２の特徴は、前記注入加圧工程の後、前記第２の袋体にさらに固体粒子を含有する流動体を注入して膨らませることで、前記第１の袋体内の脱水処理後の流動体を当該第１の袋体の外へ排出する流動体排出工程をさらに備えていることである。
【００１８】
この構成によれば、注入加圧工程の後、第１の袋体の排出口を開いて第１の袋体に流動体を注入して膨らませるだけで、脱水処理後の流動体を第１の袋体から容易に取り出すことができる。従って、脱水処理の後、処理済の流動体をすぐに袋体から排出して利用することができる。
【００１９】
本発明の他の観点による袋詰脱水方法における第３の特徴は、前記注入加圧工程が繰り返し行われ、前記複数の袋体における異なる袋体が交互に前記第１の袋体及び前記第２の袋体となることである。
【００２０】
この構成によれば、異なる袋体において交互に注入加圧作業を繰り返すだけで、異なる袋体において交互に脱水作業が行われることになる。従って、効率よく、注入作業と脱水作業とを行うことができる。
【００２１】
本発明の他の観点による袋詰脱水方法における第４の特徴は、前記注入加圧工程では、前記第１の袋体内に配置されている１つ以上の排水部材を通じて、前記第１の袋体に注入された前記流動体中の水分を前記第１の袋体の外へ排出することである。
【００２２】
この構成によれば、袋体表面を介して水分の排出が可能であるか否かに関わらず、第１の袋体に注入された流動体中の水分を、第１の袋体内に配置された排水部材を介して袋体の外へ排出することができる。即ち、袋体表面から水分の排出が可能である場合は、袋体表面からに加えて排水部材からも排水でき、脱水に係る面積を増大させることができる。このため、排水部材を含まない場合に比べて脱水効果が上がり、脱水処理をより短時間で行うことができる。
また、袋体表面のみから排水する場合、袋体表面にシルトなど細かい固体粒子が付着して袋体表面の織り目に入り込んでしまい水分の通過が妨げられ易く、大幅に脱水効果が低下してしまう。しかし、排水部材を設けることで、袋体表面における脱水効果の低下の問題を軽減することができる。
また、排水部材を袋体内に複数配置した場合は、配置した排水部材の数に応じて、脱水に係る面積を増大させることができ、脱水効果を大幅に向上させることができ、脱水処理をより短時間で行うことができる。
【００２３】
本発明の他の観点による袋詰脱水方法における第５の特徴は、前記注入加圧工程において前記排水部材を通じて前記流動体中の水分を排出する方向とは異なる方向に、前記排水部材の内部に流体を送入する流体送入工程をさらに備えていることである。
【００２４】
この構成によれば、排水部材の表面に細かい固体粒子が付着した場合であっても、流体送入工程が行われることで、排水部材表面に付着した細かい固体粒子を剥離させることができる。従って、排水部材表面における円滑な水分の通過を確保し、脱水効果の低下を抑制することができる。
【００２５】
また、本発明の脱水ユニットは、固体粒子を含有する流動体の袋詰脱水方法において用いられる脱水ユニットに関する。
そして、本発明の１つの観点による脱水ユニットは、前述の目的を達成するために以下のようないくつかの特徴を有しており、以下の特徴を単独で、もしくは、適宜組み合わせて備えている。
【００２６】
前述の目的を達成するための本発明の１つの観点による脱水ユニットにおける第１の特徴は、前記流動体が注入される袋体と、前記袋体を囲むように配置されて当該袋体を拘束する拘束部材と、前記拘束部材の内側において、前記袋体と接するように配置され又は前記袋体内に配置され、液密性及び気密性の少なくともいずれか一方のシール性を有する袋と、を備えていることである。
【００２７】
この構成によれば、袋体が拘束部材で周りを囲まれた状態で、拘束部材の内側に配置された袋を膨らませるため、袋体に袋が接する場合は袋によって袋体が圧迫され、袋体内に袋が配置される場合は袋体内に注入された流動体が袋によって直接圧迫される。これにより、袋体に注入されている流動体中の水分を袋体の外へ排出させることができる。従って、袋体に流動体を注入した後に袋を膨らませるだけで、脱水処理を短時間で容易に行うことができる。また、袋体を積み重ねた後に再度流動体を注入する構成でないことから、流動体が充填された袋体を持ち上げる大掛かりな作業も必要なく、脱水処理が容易で、袋体が破損し易いという問題も軽減できる。
【００２８】
本発明の１つの観点による脱水ユニットにおける第２の特徴は、前記袋は、前記袋体と前記拘束部材との間に介装されていることである。
【００２９】
この構成によれば、拘束部材の内側に袋体と袋とを配置するだけで、容易に、拘束部材で周りを囲まれた状態の袋体を圧迫する脱水ユニットを構成することができる。
【００３０】
本発明の１つの観点による脱水ユニットにおける第３の特徴は、前記袋体内に配置され、注入された前記流動体中の水分を前記袋体の外へ排出する１つ以上の排水部材をさらに備えていることである。
【００３１】
この構成によれば、袋体表面を介して水分の排出が可能であるか否かに関わらず、袋体に注入された流動体中の水分を、袋体内に配置された排水部材を介して袋体の外へ排出することができる。即ち、袋体表面から水分の排出が可能である場合は、袋体表面からに加えて排水部材からも排水でき、脱水に係る面積を増大させることができる。このため、排水部材を含まない場合に比べて脱水効果が上がり、脱水処理をより短時間で行うことができる。
また、袋体表面のみから排水する場合、袋体表面にシルトなど細かい固体粒子が付着して袋体表面の織り目に入り込んでしまい水分の通過が妨げられ易く、大幅に脱水効果が低下してしまう。しかし、排水部材を設けることで、袋体表面における脱水効果の低下の問題を軽減することができる。
また、排水部材を袋体内に複数配置した場合は、配置した排水部材の数に応じて、脱水に係る面積を増大させることができ、脱水効果を大幅に向上させることができ、脱水処理をより短時間で行うことができる。
【００３２】
本発明の１つの観点による脱水ユニットにおける第４の特徴は、前記排水部材は、自己保形性を有する管状の部材であることである。
【００３３】
この構成によれば、排水部材が管状であることで、排水部材の内部空間を大きくすることができ、内部での水の流れが良好となる。また、排水部材内に例えばシルトなど粘性を有する非常に小さな固体粒子が入り込むと、粒子が凝集する場合があり得るが、このような場合でも、内部空間を大きくとれる管状であるために、凝集した固体粒子が詰まるのを防止することができる。そして、自己保形性を有することから、流動体などからの圧力によって排水部材が変形して押しつぶされたりすることを抑制でき、内部での水の流れを良好に保つことができる。
【００３４】
本発明の１つの観点による脱水ユニットにおける第５の特徴は、前記袋体は、水密性を有することである。
【００３５】
固体粒子を含有する流動体が、例えば、有害物質を含む可能性のあるようなもの等であって、脱水処理時に排出される余剰水の回収が必要な場合がある。このような場合であっても、水密性を有する袋体を用いることで、袋体表面から余剰水を排出させずに袋体内の排水部材のみから排出させるようにすることができる。これにより、袋体表面から外部に流出してしまった余剰水を回収しなければならないといったような困難な作業を行うことなく、容易に余剰水を回収することができる。
【００３６】
また、本発明の他の観点による脱水ユニットは、前述の目的を達成するために以下のようないくつかの特徴を有しており、以下の特徴を単独で、もしくは、適宜組み合わせて備えている。
【００３７】
本発明の他の観点による脱水ユニットにおける第１の特徴は、前記流動体が注入されることで膨らむとともに互いに接するように配置される複数の袋体と、前記複数の袋体を囲むように配置されて当該袋体を拘束する拘束部材と、を備えていることである。
【００３８】
この構成によれば、拘束部材で周りを囲まれた複数の袋体のうちの１つの袋体に流動体を注入した状態で他の袋体にも流動体を注入することができるので、拘束部材の内側で他の袋体が膨らまされるとともに、既に流動体が注入されている１つの袋体が圧迫される。これにより、１つの袋体に注入されている流動体中の水分をその袋体の外へ排出させることができる。従って、固体粒子を含有する流動体を袋体内に注入すると略同時に他の袋体から脱水することができ、脱水処理を短時間で容易に行うことができる。
また、異なる袋体において交互に注入作業を繰り返す作業を行えば、異なる袋体において交互に脱水作業が行われることになる。従って、効率よく、注入作業と脱水作業を行うことができる。
また、袋体を積み重ねた後に再度流動体を注入する構成でないことから、流動体が充填された袋体を持ち上げる大掛かりな作業も必要なく、脱水処理が容易で、袋体が破損し易いという問題も軽減できる。
【００３９】
本発明の他の観点による脱水ユニットにおける第２の特徴は、前記袋体内に配置され、注入された前記流動体中の水分を前記袋体の外へ排出する１つ以上の排水部材をさらに備えていることである。
【００４０】
この構成によれば、袋体表面を介して水分の排出が可能であるか否かに関わらず、袋体に注入された流動体中の水分を、袋体内に配置された排水部材を介して袋体の外へ排出することができる。即ち、袋体表面から水分の排出が可能である場合は、袋体表面からに加えて排水部材からも排水でき、脱水に係る面積を増大させることができる。このため、排水部材を含まない場合に比べて脱水効果が上がり、脱水処理をより短時間で行うことができる。
また、袋体表面のみから排水する場合、袋体表面にシルトなど細かい固体粒子が付着して袋体表面の織り目に入り込んでしまい水分の通過が妨げられ易く、大幅に脱水効果が低下してしまう。しかし、排水部材を設けることで、袋体表面における脱水効果の低下の問題を軽減することができる。
また、排水部材を袋体内に複数配置した場合は、配置した排水部材の数に応じて、脱水に係る面積を増大させることができ、脱水効果を大幅に向上させることができ、脱水処理をより短時間で行うことができる。
【００４１】
本発明の他の観点による脱水ユニットにおける第３の特徴は、自己保形性を有する管状の部材であることである。
【００４２】
この構成によれば、排水部材が管状であることで、排水部材の内部空間を大きくすることができ、内部での水の流れが良好となる。また、排水部材内に例えばシルトなど粘性を有する非常に小さな固体粒子が入り込むと、粒子が凝集する場合があり得るが、このような場合でも、内部空間を大きくとれる管状であるために、凝集した固体粒子が詰まるのを防止することができる。そして、自己保形性を有することから、流動体などからの圧力によって排水部材が変形して押しつぶされたりすることを抑制でき、内部での水の流れを良好に保つことができる。
【００４３】
本発明の他の観点による脱水ユニットにおける第４の特徴は、前記袋体は、水密性を有することである。
【００４４】
固体粒子を含有する流動体が、例えば、有害物質を含む可能性のあるようなもの等であって、脱水処理時に排出される余剰水の回収が必要な場合がある。このような場合であっても、水密性を有する袋体を用いることで、袋体表面から余剰水を排出させずに袋体内の排水部材のみから排出させるようにすることができる。これにより、袋体表面から外部に流出してしまった余剰水を回収しなければならないといったような困難な作業を行うことなく、容易に余剰水を回収することができる。
【発明を実施するための最良の形態】
【００４５】
以下、本発明を実施するための最良の形態について図面を参照しつつ説明する。
【００４６】
（第１実施形態）
図１は、本発明の第１実施形態に係る固体粒子を含有する流動体の袋詰脱水方法を行うときの状態を例示する概略図である。図２（ａ）は、第１実施形態に係る袋詰脱水方法において用いられる脱水ユニット（第１実施形態に係る脱水ユニット）を例示する側面図であり、図２（ｂ）はそのII-II面図である。なお、図１に示す概略図では、固体粒子を含有する流動体として、海底の底に堆積したヘドロを用いる場合を例示している。
【００４７】
まず、第１実施形態に係る脱水ユニット１について説明する。脱水ユニット１は、図１及び図２に示すように、袋体１１と、カバー部材（拘束部材）１２と、気密バッグ（シール性として気密性を有する袋）１３と、保形ホース（排水部材）１４とを備えている。
【００４８】
袋体１１は、長手方向両端部分の直径が中央部分に対して連続的に小さくなるように形成された異径筒状織物により構成されている。そして、袋体１１の一端１５は、金具１７により閉塞され、他端１６にはホース保持栓１８が取り付けられている。袋体１１の内部には、複数の保形ホース１４が配置され、他端１６からはこれら複数の保形ホース１４が並んで引き出されている（図２（ａ）では、１本の保形ホース１４のみを図示）。複数の保形ホース１４は、各保形ホース１４それぞれに対応してホース保持栓１８に設けられた貫挿孔を通して引き出されている。なお、ホース保持栓１８により、袋体１１内に注入された流動体が他端１６から漏れないようになっている。
【００４９】
また、袋体１１の一端側には、図１に示すヘドロ１０のような固体粒子を含有する流動体を注入するための注入口１９が設けられている。注入口１９は、注入ホース２１の一端と接続されており、注入ホース２１の他端は海底に配置されたサンドポンプ２２に接続される。一方、袋体１１の他端側には、袋体１１内の流動体を排出するための排出口２０が設けられている。排出口２０は、排出ホース２３の一端と接続されており、排出ホース２３の他端は脱水処理後のヘドロ１０等が詰め込まれる図示しないバッグや図示しない土質改良機（脱水処理後のヘドロ１０等を石灰石と混合して盛土用の改良土を作る装置）などと接続される。
【００５０】
なお、袋体１１の材料としては、例えばポリエステル繊維、ナイロン繊維、ビニロン繊維などの汎用繊維やアラミドなどの高強度繊維を用いることができる。袋体１１の寸法は、例えば、直径２ｍ、長さ１０ｍ程度である。
【００５１】
カバー部材１２は、袋体１１を囲むように配置されて袋体１１の周りを拘束する拘束部材として設けられている。カバー部材１２は、長手方向両端が開放された略筒状体として形成されている。カバー部材１２の材料としては、例えばポリエステル繊維、ナイロン繊維、ビニロン繊維などの汎用繊維やアラミドなどの高強度繊維で織成された筒状織物を使用することができる。なお、カバー部材１２は、必ずしも筒状織物でなくてもよく、袋体１１の周りを囲むように拘束できるものであればどのようなものであってもよい。例えば、金属、樹脂、複合材料等で形成された種々の材質のパイプであってもよく、また、袋体１１の周りに巻き回される１つ又は複数のベルト状の部材であってもよい。
【００５２】
気密バッグ１３は、長手方向両端が閉塞された略筒状体として形成されている。そして、気密バッグ１３は、袋体１１とカバー部材１２との間に介装されており、カバー部材１２の内側において袋体１１と接するように配置されている。気密バッグ１３には、エアー（流体、ガス）を注入及び排出するためのエアー口２４が一方の端部に設けられ、エアー用ホース２５の一端と接続されている。気密バッグ１３は、気密性を有しており、エアー口２４からエアー（圧縮空気）が注入されることで膨らまされるようになっている。なお、エアー用ホース２５の他端側は、分岐ホース２６及び２７に分岐するよう接続されており、分岐ホース２６は、バルブ２８を介して圧縮空気供給源３０（コンプレッサーや圧縮空気のレシーバータンク等）に接続されている。一方、分岐ホース２７は、バルブ２９を介して、外部に開放されている。
【００５３】
気密バッグ１３としては、例えば、前述の汎用繊維や高強度繊維で織成された筒状織物の内面にゴムや合成樹脂等で気密層を設けたものを用いることができる。なお、筒状織物を用いずに、ゴムや合成樹脂等だけで構成されているものであってもよい。
【００５４】
保形ホース１４は、袋体１１内に、袋体１１の長手方向に沿って略平行に並んだ状態で配置されており、図２に示すように、袋体１１の幅方向に並んで配置されている。なお、保形ホース１４は、例えば、スペーサを介することにより袋体１１の幅方向において所定間隔で離隔するように配置されるものであってもよい。この場合、スペーサとしては、例えば、中心に保形ホース１４の外径とほぼ同径の貫通孔（保形ホース１４が貫通して支持される貫通孔）が並んで形成されたものなど種々の形状のものを用いることができる。
【００５５】
袋体１１内に配置された保形ホース１４の一端は、例えば縫製や接着などで閉塞されており、保形ホース１４の他端は、袋体１１の他端１６に設けられたホース保持栓１８の貫通孔にそれぞれ貫挿され、外部に引き出されている。外部に引き出された保形ホース１４のさらに他端側は、分岐ホース３１及び３２に分岐するよう接続されている。分岐ホース３１はバルブ３３を介して水送入用ポンプ３５に接続しており、分岐ホース３２はバルブ３４を介して排水槽３６に接続されている。
【００５６】
保形ホース１４は、経糸及び緯糸に合成繊維を使用し、且つ、緯糸の一部にワイヤや合成樹脂からなる剛性を有するモノフィラメントなどを使用することにより、自己保形性を有する管状の部材として織成されている。なお、上述した材料で形成されている保形ホース１４の壁面は透水性を有しており、これにより、袋体１１内に注入された流動体中の水分を保形ホース１４の表面から内部を通じて袋体１１の外へと排出する排水部材として機能することができるようになっている。
【００５７】
次に、第１実施形態に係る固体粒子を含有する流動体の袋詰脱水方法について説明する。この袋詰脱水方法は、上述した脱水ユニット１を用いることによって行われ、注入工程と、加圧工程と、水送入工程（流体送入工程）と、処理済流動体排出工程とを備えている。なお、この袋詰脱水方法を実施する場合は、図１に示すように、脱水ユニット１はカバー部材１２の内部に袋体１１と気密バッグ１３とが配置された状態であり、注入ホース２１、排出ホース２３、エアー用ホース２５、保形ホース１４は、それぞれ前述したように脱水ユニット１、サンドポンプ２２、圧縮空気供給源３０、水送入用ポンプ３５、排水槽３６等の間を接続している。
【００５８】
まず、最初に注入工程が行われる。注入工程では、サンドポンプ２２によって海底からヘドロ１０が吸い上げられる。ヘドロ１０は、土砂等の固体粒子を含有する流動体であって、含水比（土中水の質量の、土の乾燥質量に対する比：JIS A1203より）が高い状態（例えば、160%以上）になっている。そして、吸い上げられたヘドロ１０は、注入ホース２１を通って袋体１１へと圧送される。これにより、ヘドロ１０が袋体１１内に注入される。このとき、注入ホース２１に設けられた図示しないバルブは開放状態であり、一方、排出ホース２３に設けられた図示しないバルブは閉止状態であり、ヘドロ１０が袋体１１内に充填されていくようになっている。
【００５９】
なお、注入工程にて袋体１１内にヘドロ１０が十分に充填されると、図２に示すように、ヘドロ１０が袋体１１を内部から圧迫し始める（矢印ａ）。このため、ヘドロ１０の注入を続けて行うと、透水性を有する袋体１１の表面から脱水が開始されることになる（矢印ｂ）。また、保形ホース１４を通じても脱水が開始されることになる（矢印ｃ）。
【００６０】
十分に袋体１１内にヘドロ１０が注入された段階で、サンドポンプ２２を停止して注入工程を完了し、注入ホース２１に設けられたバルブを閉じ、注入ホース２１及び排出ホース２３のバルブがいずれも閉じられた状態とする。そして、加圧工程が行われる。加圧工程では、まず、分岐ホース２７のバルブ２９を閉じるとともに分岐ホース２６のバルブ２８を開いた状態とすることで、圧縮空気供給源３０からエアー用ホース２５を通じてエアー（圧縮空気）が気密バッグ１３内に注入される。
【００６１】
エアー注入が行われると、図３の脱水ユニット１の側面図（同図（ａ））及びIII−III線矢視断面図（同図（ｂ））に示すように、気密バッグ１３が膨らまされる。そして、気密バッグ１３が膨らむとともに、カバー部材１２で気密バッグ１３とともに回りを囲まれて拘束されている袋体１１が、膨張した気密バッグ１３により圧迫されることになる（矢印ｄ）。このため、袋体１１内のヘドロ１０が圧迫され、ヘドロ１０中の水分が、袋体１１の表面を通過して袋体１１の外へ排出される（矢印ｂ）。また、ヘドロ１０中の水分は、袋体１１内の保形ホース１４を通じて（保形ホース１４の表面から内部に通過し、その後は保形ホース１４の内部を通って）も、袋体１１の外へと排出される（矢印ｃ）。このように、加圧工程では、気密バッグ１３にエアーを注入して膨らませることにより、注入工程で注入されたヘドロ１０中の水分が袋体１１の外にさらに排出されることになる。
【００６２】
なお、加圧工程中は、分岐ホース３１のバルブ３１は閉止されており、分岐ホース３２のバルブ３４が開放された状態になっている。これにより、保形ホース１４を通じて脱水された水分は、排水槽３６へと貯められることになる。
以上示したように、第１実施形態では注入工程及び加圧工程において脱水作業が行われることになる。
【００６３】
脱水作業は袋体１１内のヘドロ１０の含水比が規定した状態になるまで行われるが、この脱水作業の途中において、水送入工程（流体送入工程）が行われる。水送入工程では、図３に示すように、排水時における保形ホース１４内の水分の流れ方向（矢印ｃ方向）とは逆の方向（矢印ｅ方向）に水（流体）が送入される。水送入工程を行うときは、分岐ホース３２のバルブ３４が閉止されるとともに、分岐ホース３１のバルブ３３が開放される。これにより、水送入用ポンプ３５から固形粒子を含まない精製水が保形ホース１４内に矢印ｅ方向に送入される。
【００６４】
このように、水送入工程では、保形ホース１４を通じてヘドロ１０の水分を排水する方向（矢印ｃ）とは異なる方向（矢印ｅ）に、保形ホース１４の内部に水が送入される。このため、保形ホース１４の表面に細かい固体粒子が付着した場合であっても、保形ホース１４が内側から外側に向かって逆洗浄されるような状態になり、その付着した細かい固体粒子を保形ホース１４の表面から剥離させることができる。従って、保形ホース１４の表面における円滑な水分の通過を確保し、脱水効果の低下を抑制することができる。
【００６５】
なお、水送入工程は、全ての保形ホース１４に対して一斉に行われるものであってもよく、また、各保形ホース１４毎に１つずつ順番に行われるものであってもよい。１つずつ順番に行う場合、水送入工程が行われていないその他の保形ホース１４については、ヘドロ１０中の水分排出が継続されることになる。また、水送入工程は、１回の脱水作業に関して１回だけ行われるものであってもよく、また複数回行われるものであってもよい。
【００６６】
袋体１１内のヘドロ１０の含水比が十分に低下して脱水作業が終了すると、その後に、処理済流動体排出工程が行われる。処理済流動体排出工程は、排出ホース２３に設けられたバルブを開放し（このとき、注入ホース２１のバルブは閉じたままの状態）、気密バッグ１３にエアー用ホース２５を通じてエアーを注入して膨らませることで行われる。そして、図４の脱水ユニット１の側面図（同図（ａ））及びIV−IV線矢視断面図（同図（ｂ））に示すように、気密バッグ１３が膨らむとともに、カバー部材１２で気密バッグ１３とともに周りを囲まれて拘束されている袋体１１が、膨張した気密バッグ１３により圧迫されることになる（矢印ｄ）。このため、袋体１１内の脱水処理後のヘドロ１０が圧迫され、袋体１１の排出口２０及び排出ホース２３を通じて脱水処理後のヘドロ１０が排出されることになる。
【００６７】
このように、処理済流動体排出工程では、脱水が終了した後、袋体１１の排出口２０を開放した状態で気密バッグ１３にエアーを注入して膨らませるだけで、脱水処理後のヘドロ１０を袋体１１から容易に取り出すことができる。従って、脱水処理の後、処理済のヘドロ１０をすぐに袋体１１から排出して利用することができる。なお、処理済流動体排出工程が終了した後は、バルブ２８を閉じるとともにバルブ２７を開けて気密バッグ１３からエアーを抜くことで、脱水ユニット１は、第１実施形態に係る袋詰脱水方法が開始される前の状態に戻ることになる。
【００６８】
なお、排出ホース２３から排出された脱水後のヘドロ１０は、例えば、土質改良機にて石灰石と混合されて、築堤の盛土用の改良土を作るために用いられる。
【００６９】
以上説明した第１実施形態に係る袋詰脱水方法及び脱水ユニット１によると、袋体１１に流動体を注入して気密バッグ１３を膨らませるだけで、脱水処理を短時間で容易に行うことができる。また、袋体１１を積み重ねた後に再度流動体を注入する構成でないことから、流動体が充填された袋体１１を持ち上げるという大掛かりな作業も必要なく、脱水処理が容易で、袋体１１が破損し易いという問題も軽減できる。
【００７０】
また、脱水ユニット１によると、カバー部材１２の内側に袋体１１と気密バッグ１３とを並べて配置するだけで、容易に、カバー部材１２で周りを囲まれた状態の袋体１１を圧迫する脱水ユニットを構成することができる。
【００７１】
（第２実施形態）
次に、本発明の第２実施形態に係る固体粒子を含有する流動体の袋詰脱水方法、及びそれに用いられる脱水ユニットについて説明する。図５（ａ）は、第２実施形態に係る脱水ユニット２を例示する側面図であり、図５（ｂ）はそのＶ−Ｖ線矢視断面図である。
【００７２】
脱水ユニット２は、脱水ユニット１と同様に用いることができ、例えば、固体粒子を含有する流動体として、図１に示すような、海底の底に堆積したヘドロ１０等を用いることができる。
【００７３】
脱水ユニット２は、図５に示すように、複数の袋体１１（１１ａ、１１ｂ）とカバー部材（拘束部材）１２とを備えており、気密性を有する袋は備えられていない。なお、第１実施形態に係る脱水ユニット１と同様の構成要素には、同一の符号を付している。
【００７４】
複数の袋体１１は、ヘドロ１０等の流動体が注入されることで膨らむとともに互いに接するように配置される。各袋体１１（１１ａ、１１ｂ）は、第１実施形態に係る脱水ユニット１と同様に構成されている。また、各袋体１１内には、脱水ユニット１の場合と同様に、複数の排水部材１４が配置されている。各袋体１１に接続している注入ホース２１及び排出ホース２３は、脱水ユニット１の場合と同様に、それぞれサンドポンプ２２及び土質改良機に接続される。
【００７５】
カバー部材１２は、複数の袋体１１を囲むように配置されて当該袋体１１を拘束する。このカバー部材１２は、脱水ユニット１におけるカバー部材１２と同様に構成されている。
【００７６】
次に、第２実施形態に係る固体粒子を含有する流動体の袋詰脱水方法について説明する。この袋詰脱水方法は、上述した脱水ユニット２を用いることによって行われ、初期注入工程と、注入加圧工程と、水送入工程（流体送入工程）と、流動体排出工程とを備えている。
【００７７】
この袋詰脱水方法を実施する場合は、図５に示すように、脱水ユニット２は、カバー部材１２の内部に複数の袋体１１が配置された状態であり、注入ホース２１、排出ホース２３、保形ホース１４は、脱水ユニット２、サンドポンプ２２、水送入用ポンプ３５、排水槽３６等の間を接続している（図１参照）。なお、サンドポンプ２２から２つの注入ホース２１へのヘドロ１０の注入は、一方の注入ホース２１を選択して行えるようになっている。例えば、２つの注入ホース２１が切換弁（図示せず）を介して集合注入ホース（図示せず）に接続し、その集合注入ホースがサンドポンプ２２に接続しているものであってもよい。この場合、切換弁を切り換えることで、一方の注入ホース２１を選択してヘドロ１０の注入を行うことができる。
【００７８】
まず、最初に、初期注入工程が行われる。初期注入工程では、サンドポンプ２２によって海底からヘドロ１０が吸い上げられ、いずれか一方の袋体１１（図５では袋体１１ａ）にこのヘドロ１０が注入される。このとき、袋体１１ａ側の排出ホース２３の図示しないバルブは閉止状態であり、ヘドロ１０が袋体１１ａ内に充填されていくようになっている。
【００７９】
ヘドロ１０が所定量分だけ袋体１１ａ内に充填されて袋体１１ａが十分に膨らんだ状態になると、サンドポンプ２２を停止し、初期注入工程を終了する。そして、袋体１１ａ側の注入ホース２１の図示しないバルブを閉じる。このとき、袋体１１ａは、ヘドロ１０が注入された状態の第１の袋体となっており、袋体１１ｂは、第１の袋体（１１ａ）と接するように配置された第２の袋体となっている。そして、第１の袋体（１１ａ）と第２の袋体（１１ｂ）とが、これら複数の袋体１１（１１ａ、１１ｂ）を囲むように配置されたカバー部材１２の内側に配置されている状態になっている。
【００８０】
上記状態（初期注入工程が終了した状態）で、続いて注入加圧工程が行われる。注入加圧工程では、袋体１１ｂ側の排出ホース２３のバルブを閉じた状態で、サンドポンプ２２により袋体１１ｂにヘドロ１０の注入が行われる。このように、第２の袋体（１１ｂ）内にヘドロ１０を注入して第２の袋体（１１ｂ）を膨らませることにより（矢印ａ）、カバー部材１２の内部で拘束された第１の袋体（１１ａ）が第２の袋体（１１ｂ）によって圧迫されることになる。このため、第１の袋体（１１ａ）内のヘドロ１０が圧迫され、ヘドロ１０中の水分が、第１の袋体（１１ａ）の表面を通過して外へ排出される（矢印ｂ）。また、ヘドロ１０中の水分は、第１の袋体（１１ａ）内の保形ホース１４を通じて、第１の袋体１１ａの外へと排出される（矢印ｃ）。
以上示したように、第２実施形態では、注入加圧工程が行われることで、第１の袋体からの脱水作業と第２の袋体への注入作業とが同時に行われることになる。
【００８１】
注入加圧工程は第１の袋体（１１ａ）のヘドロ１０の含水比が規定した状態になるまで行われるが、この注入加圧工程の途中において、水送入工程（流体送入工程）が行われる。水送入工程は、第１実施形態の場合と同じように行われる。即ち、図５に示すように、排水時における保形ホース１４内の水分の流れ方向（矢印ｃ方向）とは逆の方向（矢印ｅ方向）に水（流体）が送入される。この水送入工程によって、第１実施形態の場合と同様に、保形ホース１４の表面に付着した細かい固体粒子を剥離させ、保形ホース１４の表面における円滑な水分の通過を確保し、脱水効果の低下を抑制することができる。
【００８２】
第１の袋体（１１ａ）内の含水比が十分に低下して注入加圧工程が終了すると、その後に、流動体排出工程が行われる。流動体排出工程は、第１の袋体（１１ａ）側の排出ホース２３のバルブを開放し（注入ホース２１のバルブは閉じたまま）、第２の袋体（１１ｂ）へさらにヘドロ１０を注入して第２の袋体（１１ｂ）を膨らませることで行われる。この流動体排出工程を行うことで、カバー部材１２内部において、膨張する第２の袋体（１１ｂ）により第１の袋体（１１ａ）が圧迫され、第１の袋体（１１ａ）内の脱水処理後のヘドロ１０が、排出ホース２３を通じて外へ排出される。
【００８３】
このように、流動体排出工程では、脱水が終了した後、第１の袋体（１１ａ）の排出口２０を開放した状態で第２の袋体（１１ｂ）を膨らませるだけで、脱水処理後のヘドロ１０を第１の袋体（１１ａ）から容易に取り出すことができる。従って、脱水処理後、処理済のヘドロ１０をすぐに袋体１１から排出して利用することができる。
【００８４】
上記流動体排出工程が終了すると、今度は、袋体１１ｂはヘドロ１０が注入された状態である第１の袋体となっており、一方、袋体１１ａは第１の袋体（１１ｂ）と接するように配置された第２の袋体となっている。従って、袋体１１ｂを第１の袋体とし袋体１１ａを第２の袋体として注入加圧工程を開始することができる状態となっている。
【００８５】
この状態で、再び注入加圧工程を行うことができる。即ち、第２の袋体（１１ａ）にヘドロ１０を注入して膨らませることにより、第１の袋体（１１ｂ）内に注入されたヘドロ１０中の水分を第１の袋体（１１ｂ）の外へ排出することができる。また、この注入加圧工程が終了してさらに流動体排出工程まで終了すると、今度は更に袋体１１ａを第１の袋体とし袋体１１ｂを第２の袋体として注入加圧工程を繰り返すことができる。このように、第２実施形態に係る袋詰脱水方法においては、複数の袋体１１における異なる袋体（１１ａ及び１１ｂ）が交互に第１の袋体及び第２の袋体となって、注入加圧工程を連続して繰り返し行うことができる。
【００８６】
以上説明した第２実施形態に係る袋詰脱水方法及び脱水ユニット２によると、注入加圧工程において流動体を袋体内に注入すると略同時に他の袋体から脱水することができ、脱水処理を短時間で容易に行うことができる。また、袋体を積み重ねた後に再度流動体を注入する構成でないことから、流動体が充填された袋体を持ち上げる大掛かりな作業も必要なく、脱水処理が容易で、袋体が破損し易いという問題も軽減できる。また、異なる袋体において交互に注入作業を繰り返す作業を行えば、同時に、異なる袋体において交互に脱水作業が行われることになる。従って、効率よく、注入作業と脱水作業を行うことができる。
【００８７】
なお、上記説明した第１実施形態及び第２実施形態に係る袋詰脱水方法及び脱水ユニットにおいては、袋体１１の表面を介して水分の排出が可能であるか否かに関わらず、袋体１１に注入された流動体中の水分を、袋体１１内に配置された保形ホース１４を介して袋体１１の外へ排出することができる。即ち、袋体１１の表面から水分の排出が可能である場合は、袋体１１の表面からに加えて保形ホース１４からも排水でき、脱水に係る面積が増大させることができる。このため、保形ホース１４を含まない場合に比べて脱水効果が上がり、脱水処理をより短時間で行うことができる。
【００８８】
また、袋体１１の表面のみから排水する場合、袋体１１の表面にシルトなど細かい固体粒子が付着して袋体１１の表面の織り目に入り込んでしまい水分の通過が妨げられ易く、大幅に脱水効果が低下してしまう。しかし、保形ホース１４を設けることで、袋体１１の表面における脱水効果の低下の問題を軽減することができる。
【００８９】
また、保形ホース１４を袋体１１内に複数配置することで、配置した保形ホース１４の数に応じて、脱水に係る面積を増大させることができ、脱水効果を大幅に向上させることができ、脱水処理をより短時間で行うことができる。
【００９０】
また、脱水ユニット１及び脱水ユニット２によると、保形ホース１４が管状であることで、保形ホース１４の内部空間を大きくすることができ、内部での水の流れが良好となる。また、保形ホース１４内に例えばシルトなどの粘性を有する非常に小さな固体粒子が入り込むと、粒子が凝集する場合があり得るが、このような場合でも、内部空間を大きくとれる管状であるために、凝集した固体粒子が詰まるのを防止することができる。そして、保形ホース１４は自己保形性を有することから、流動体などからの圧力によって保形ホース１４が変形して押しつぶされたりすることを抑制でき、内部での水の流れを良好に保つことができる。
【００９１】
以上、本発明の実施形態について説明したが、本発明は上述の実施の形態に限られるものではなく、特許請求の範囲に記載した限りにおいて様々な設計変更が可能なものである。例えば、次のように変更して実施してもよい。
【００９２】
（１）第１及び第２実施形態においては、海底に堆積したヘドロに対して適用される場合を例にとって説明したが、固体粒子を含有する流動体であれば、第１及び第２実施形態に係る袋詰脱水方法及び脱水ユニットを広く適用することができる。また、必ずしも含水比が高い流動体でなくても（含水比が160%未満であっても）、適用することができる。
【００９３】
（２）第１及び第２実施形態においては、排水部材として保形ホースを用いる場合を説明したが、保形ホース以外の排水部材を用いてもよく、また、必ずしも排水部材は用いなくてもよい。
【００９４】
（３）第１及び第２実施形態においては、流体送入工程が行われる場合について説明したが、必ずしも流体送入工程は行われなくてもよい。また、第１実施形態においては処理済流動体排出工程が行われないものであってもよく、第２実施形態においては流動体排出工程が行われないものであってもよい。処理済流動体排出工程及び流動体排出工程が行われない場合は、脱水処理後の流動体が袋体内に入っている状態のまま築堤等に用いられることになる。
【００９５】
（４）第１及び第２実施形態においては、袋体が透水性を有する場合を例にとって説明したが、袋体が、水密性を有するもの（即ち、袋体の表面と内部との間で水分が通過しないもの）であってもよい。水密性を持たない袋体に、例えば湖沼の底に堆積したダイオキシンなどの有害物質を含む可能性の高い流動体を注入すると、流動体中の水分とともに有害物質が袋体表面から外部に流出してしまう可能性がある。この場合、袋体表面から排出された余剰水を回収する必要がある。しかしながら、袋体は通常寸法が大きいため、全ての余剰水を回収することは困難を伴う作業となる。そこで、有害物質を含む可能性のある流動体を処理する場合など脱水処理時に排出される余剰水の回収が必要な場合は、水密性を有する袋体を用いることで、余剰水を袋体表面から排出させずに袋体内の保形ホース（排水部材）のみから排出させるようにすることができる。これにより、上述のような袋体表面から外部に流出してしまった余剰水を回収しなければならないといったような困難な作業を行うことなく、容易に余剰水を回収することができる。
【００９６】
（５）第１実施形態においては、カバー部材の内側に袋体と気密バッグとが１つずつ配置されている場合を例にとって説明したが、袋体や気密バッグがカバー部材の内側に複数配置されているものであってもよい。図６は、第１実施形態における袋体が複数設けられている場合の変形例に係る脱水ユニット２における長手方向と直行する断面図を示したものである。脱水ユニット２は、２個の袋体１１ａを備えており、カバー部材１２ａの内側では、気密バッグ１３ａが２個の袋体１１ａの間に位置するように配置されている（気密バッグ１３ａと袋体１１ａとは接するように配置されている）。この脱水ユニット２によると、加圧工程において、気密バッグ１３ａにエアーを注入して膨らませることにより、膨張する気密バッグ１３ａによって２個の袋体１１ａがそれぞれ圧迫される。そして、袋体１１ａ内に注入された流動体１０ａ中の水分が、袋体１１ａ内に配置された保形ホース１４ａを通じて及び袋体１１ａの表面から、袋体１１ａの外へと排出されることになる。
【００９７】
また、図７は第１実施形態における気密バッグが複数設けられている場合の変形例に係る脱水ユニット３における長手方向と直交する断面図を示したものである。脱水ユニット３は、２個の気密バッグ１３ｂを備えており、カバー部材１２ｂの内側では、袋体１１ｂが２個の気密バッグ１３ｂの間に位置するように配置されている（２個の気密バッグ１３ｂは、袋体１１とカバー部材１２との間にそれぞれ介装されている）。この脱水ユニット３によると、加圧工程において、２個の気密バッグ１３ｂにそれぞれエアーを注入して膨らませることにより、膨張する気密バッグ１３ｂによってその間に配置された袋体１１ｂが上下方向両側から圧迫される。そして、袋体１１ｂ内に注入された流動体１０ｂ中の水分が、袋体１１ｂ内に配置された保形ホース１４ｂを通じて及び袋体１１ｂの表面における気密バッグ１３ｂと接していない箇所から、袋体１１ｂの外へ排出されることになる。
【００９８】
（６）第１実施形態においては、カバー部材の内側において袋体と接するように気密バッグが配置されている場合を例にとって説明したが、カバー部材の内側において袋体内に気密バッグが配置されているものであってもよい。図８は、その変形例に係る脱水ユニット４における長手方向と直交する断面図を示したものである。脱水ユニット４は、カバー部材１２ｃの内側に袋体１１ｃが配置され、さらにその袋体１１ｃの内部に気密バッグ１３ｃが配置されている。即ち、袋体１１ｃと気密バッグ１３ｃとが同心円状に２層構造になっており、袋体１１ｃ内に注入される流動体１０ｃは、袋体１１ｃの内側と気密バッグ１３ｃの外側との間に充填されることになる。そして、加圧工程においては、気密バッグ１３ｃにエアーを注入して膨らませることにより、袋体１１ｃ内に注入された流動体１０ｃが膨張する気密バッグ１３ｃによって直接圧迫される。これにより、流動体１０ｃ中の水分が、袋体１１ｃ内に配置された保形ホース１４ｃを通じて及び袋体１１ｃの表面から、袋体１１ｃの外へ排出されることになる。
【００９９】
（７）第１実施形態においては、気密バッグに注入される流体は、エアー以外のガスであってもよい。また、ガス以外の流体、例えば水等のような液体であってもよい。流体として液体が注入される場合は、シール性としては、液密性を有する袋（例えば、水を注入する場合は水密性を有する袋）を用いる必要がある。
【０１００】
（８）第１実施形態においては、気密バッグは、袋体にエアー用ホースが取り付け可能なエアー口が設けられている構造であってもよい。即ち、気密バッグを気密バッグとしてだけでなく、袋体としても使用可能なものであってもよい。
【０１０１】
（９）第２実施形態においては、袋体の個数が２個でなくてもよく、３個以上であってもよい。例えば、袋体が３個のときは、第１の袋体が１個又は２個で第２の袋体が１個又は２個となるものであってもよい。また、この場合、複数の袋体において大きさが異なっているものであってもよい。
【図面の簡単な説明】
【０１０２】
【図１】本発明の第１実施形態に係る固体粒子を含有する流動体の袋詰脱水方法を行うときの状態を例示する概略図である。
【図２】図１に示す脱水ユニットを例示する側面図及びそのII−II線矢視断面図であって、注入工程を説明する図である。
【図３】図１に示す脱水ユニットを例示する側面図及びそのIII−III線矢視断面図であって、加圧工程を説明する図である。
【図４】図１に示す脱水ユニットを例示する側面図及びそのIV−IV線矢視断面図であって、処理済流動体排出工程を説明する図である。
【図５】本発明の第２実施形態に係る脱水ユニットを例示する側面図及びそのII−II線線矢視断面図である。
【図６】第１実施形態における袋体が複数設けられている場合の変形例に係る脱水ユニットを示す断面図である。
【図７】第１実施形態における袋が複数設けられている場合の変形例に係る脱水ユニットを示す断面図である。
【図８】第１実施形態における拘束部材の内側において袋体内に袋が配置されている場合の変形例に係る脱水ユニットを示す断面図である。矢視断面図である。
【符号の説明】
【０１０３】
１  脱水ユニット
１０  ヘドロ（固体粒子を含有する流動体）
１１  袋体
１２  カバー部材（拘束部材）
１３  気密バッグ（袋）
【図１】
2005103474.tif 000003
【図２】
2005103474.tif 000004
【図３】
2005103474.tif 000005
【図４】
2005103474.tif 000006
【図５】
2005103474.tif 000007
【図６】
2005103474.tif 000008
【図７】
2005103474.tif 000009
【図８】
2005103474.tif 000010